(57)【要約】【課題】搬送路を搬送される１枚の有価媒体が２枚以上に分離した状態で搬送されていることを検出する。【解決手段】有価媒体を搬送する搬送部と、搬送部を搬送される有価媒体の通過を検出する媒体状態検出センサと、媒体状態検出センサにより有価媒体の通過を検出した信号と有価媒体が通過している間に媒体状態検出センサにより有価媒体を検出できない状態となったことを示す信号とに基づいて１枚の有価媒体が２枚以上に分離された状態で搬送されているか否かを判定する媒体状態判定部と、媒体状態判定部による判定結果に基づいて２枚以上に分離された状態で搬送されている有価媒体を所定搬送先へ搬送する搬送制御部とによって有価媒体処理装置を構成する。【選択図】  図２
2015095014.tif 000002
【特許請求の範囲】
【請求項１】
有価媒体を搬送する搬送部と、
前記搬送部を搬送される有価媒体の通過を検出する媒体状態検出センサと、
前記媒体状態検出センサにより有価媒体の通過を検出した信号と前記有価媒体が通過している間に前記媒体状態検出センサにより前記有価媒体を検出できない状態となったことを示す信号とに基づいて１枚の有価媒体が２枚以上に分離された状態で搬送されているか否かを判定する媒体状態判定部と、
前記媒体状態判定部による判定結果に基づいて２枚以上に分離された状態で搬送されている有価媒体を所定搬送先へ搬送する搬送制御部と
を備えることを特徴とする有価媒体処理装置。
【請求項２】
前記媒体状態判定部は、
前記媒体状態検出センサにより、有価媒体の前縁が通過してから後縁が通過するまでの間に前記有価媒体を検出できない状態となったことを示す検出結果、及び実測された前記前縁から前記後縁までの長さが前記有価媒体の実際の長さより長いことを示す検出結果が得られた場合に、
１枚の有価媒体が２枚以上に分離された状態で搬送されていると判定する
ことを特徴とする請求項１に記載の有価媒体処理装置。
【請求項３】
前記媒体状態判定部は、
前記媒体状態検出センサによって有価媒体を検出した実測値と、
前記有価媒体が前記媒体状態検出センサを通過した際に検出されるべき前記有価媒体の実際の長さを示す媒体基準長と、
前記媒体状態検出センサによって前記有価媒体の通過を検出している間に前記有価媒体が検出されない透光状態を検出した透光距離と
に基づいて、
１枚の有価媒体が２枚以上に分離された状態で搬送されているか否かを判定する
ことを特徴とする請求項１又は２に記載の有価媒体処理装置。
【請求項４】
前記媒体状態判定部は、
前記媒体基準長に前記透光距離を加算した判定値が前記実測値と略同一の値を示しかつこの値が前記媒体基準長より長いことを示す判定結果が得られた場合に、
１枚の有価媒体が２枚以上に分離された状態で搬送されていると判定する
ことを特徴とする請求項３に記載の有価媒体処理装置。
【請求項５】
前記媒体状態判定部は、前記判定値と前記実測値とが異なる値を示した場合に、前記有価媒体は穴の空いた状態で搬送されていると判定することを特徴とする請求項４に記載の有価媒体処理装置。
【請求項６】
前記媒体状態判定部は、前記有価媒体上で予めマスク範囲として設定された領域が前記媒体状態検出センサを通過する間は前記有価媒体の後縁を検出する処理を行わないことを特徴とする請求項１〜５のいずれか１項に記載の有価媒体処理装置。
【請求項７】
２枚以上に分離された状態で搬送されていると判定された有価媒体の搬送先を報知する報知部をさらに備えることを特徴とする請求項１〜６のいずれか１項に記載の有価媒体処理装置。
【発明の詳細な説明】
【技術分野】
【０００１】
この発明は、紙幣や商品券等の有価媒体を処理する有価媒体処理装置に関し、特に、装置内で搬送される有価媒体の状態を監視する有価媒体処理装置に関する。
【背景技術】
【０００２】
従来、銀行等の金融機関で紙幣等の処理に利用されている貨幣処理装置では、装置内部で紙幣を搬送する搬送路の要所に、紙幣の通過を検出するためのセンサが設けられている。搬送路で紙幣の通過を検出するセンサは、投光部及び受光部によって構成される。投光部から受光部へ向けて照射される光は通常は透光状態にあり、この照射光が通過する紙幣によって遮光されたことに基づいて紙幣前縁を検出し、その後再び遮光状態から透光状態になったことに基づいて紙幣後縁の通過を検出する。
【０００３】
例えば、特許文献１では、複数のセンサを搬送路上に配置して紙幣の搬送状況を監視する装置が開示されている。この装置では、搬送される紙幣が搬送路上流側のセンサから下流側のセンサに到達するまでの時間を計測する第１のタイマーと、この紙幣がここからさらに下流側のセンサに到達するまでの時間を計測する第２のタイマーとを利用して紙幣の搬送状態を監視する。この監視により、紙幣が正常な状態で搬送されていることに加えて、搬送中の紙幣が異常接近した状態で搬送されていることや複数枚の紙幣が重なった状態で搬送されていることを検出することができる。例えば、搬送中の紙幣が異常接近したり重なった状態で搬送されたりしている場合でも、その後に正常な搬送状態となったことが検出されれば、紙幣処理を停止することなく継続して行うことが可能となるので、装置の運用効率を向上させることができる。
【先行技術文献】
【特許文献】
【０００４】
【特許文献１】特開平１１−２６５４７２号公報
【発明の概要】
【発明が解決しようとする課題】
【０００５】
しかしながら、上記従来技術では紙幣が２枚以上に分離するような事態が想定されていないため、搬送路を搬送中の１枚の紙幣が破れて２枚以上に分離してしまったような場合に、これを正確に検出することができない。
【０００６】
貨幣処理装置は装置内部の搬送路で紙幣を高速かつ確実に搬送するよう設計されているが、例えば、傷みが激しい紙幣や破れて一部が欠損しているような紙幣は、傷みのない正常紙幣に比べて強度が弱くなっているため、搬送路へ繰り出した際やその後の搬送中に、２枚以上に破れてしまう場合がある。上記従来技術では、１枚の紙幣が搬送中に破れて２枚に分離した場合に、２枚の紙幣が重なって１つになって搬送されていたものが搬送中に１枚ずつに分離して正常な搬送状態に戻ったものと誤認識されてしまう。１枚の紙幣が破れて２枚に分離した状態であるのに２枚の正常な紙幣であると誤認識されると、紙幣を計数したり収納したりする処理を正確に行うことができない。このため、搬送状態の変化が検出されると紙幣の搬送状態を確認するために装置を停止する必要があり、搬送状態の変化を検出しながら処理を継続する運用を実現することができない。
【０００７】
本発明は、上記従来技術の課題を解消するためになされたもので、装置内部の搬送路を搬送される１枚の有価媒体が２枚以上に分離した状態で搬送されていることを検出することができる有価媒体処理装置を提供することを目的とする。
【課題を解決するための手段】
【０００８】
上述した課題を解決し、目的を達成するため、本発明は、有価媒体を搬送する搬送部と、前記搬送部を搬送される有価媒体の通過を検出する媒体状態検出センサと、前記媒体状態検出センサにより有価媒体の通過を検出した信号と前記有価媒体が通過している間に前記媒体状態検出センサにより前記有価媒体を検出できない状態となったことを示す信号とに基づいて１枚の有価媒体が２枚以上に分離された状態で搬送されているか否かを判定する媒体状態判定部と、前記媒体状態判定部による判定結果に基づいて２枚以上に分離された状態で搬送されている有価媒体を所定搬送先へ搬送する搬送制御部とを備えることを特徴とする。
【０００９】
また、本発明は、上記発明において、前記媒体状態判定部は、前記媒体状態検出センサにより、有価媒体の前縁が通過してから後縁が通過するまでの間に前記有価媒体を検出できない状態となったことを示す検出結果、及び実測された前記前縁から前記後縁までの長さが前記有価媒体の実際の長さより長いことを示す検出結果が得られた場合に、１枚の有価媒体が２枚以上に分離された状態で搬送されていると判定することを特徴とする。
【００１０】
また、本発明は、上記発明において、前記媒体状態判定部は、前記媒体状態検出センサによって有価媒体を検出した実測値と、前記有価媒体が前記媒体状態検出センサを通過した際に検出されるべき前記有価媒体の実際の長さを示す媒体基準長と、前記媒体状態検出センサによって前記有価媒体の通過を検出している間に前記有価媒体が検出されない透光状態を検出した透光距離とに基づいて、１枚の有価媒体が２枚以上に分離された状態で搬送されているか否かを判定することを特徴とする。
【００１１】
また、本発明は、上記発明において、前記媒体状態判定部は、前記媒体基準長に前記透光距離を加算した判定値が前記実測値と略同一の値を示しかつこの値が前記媒体基準長より長いことを示す判定結果が得られた場合に、１枚の有価媒体が２枚以上に分離された状態で搬送されていると判定することを特徴とする。
【００１２】
また、本発明は、上記発明において、前記媒体状態判定部は、前記判定値と前記実測値とが異なる値を示した場合に、前記有価媒体は穴の空いた状態で搬送されていると判定することを特徴とする。
【００１３】
また、本発明は、上記発明において、前記媒体状態判定部は、前記有価媒体上で予めマスク範囲として設定された領域が前記媒体状態検出センサを通過する間は前記有価媒体の後縁を検出する処理を行わないことを特徴とする。
【００１４】
また、本発明は、上記発明において、２枚以上に分離された状態で搬送されていると判定された有価媒体の搬送先を報知する報知部をさらに備えることを特徴とする。
【発明の効果】
【００１５】
本発明によれば、搬送部によって搬送される有価媒体を該搬送部に設けた媒体状態検出センサによって検出した実測値が有価媒体の実際の長さより長く、有価媒体が媒体状態検出センサを通過する間に有価媒体を検出しない透光状態となったことが検出された場合に、有価媒体が２枚以上に分離されて搬送されていると判定することができるので、有価媒体が２枚以上に分離されて搬送されていることを正確に検出することができる。また、２枚以上に分離された各紙片を、１枚の有価媒体を形成するものとして、出金口や収納部等、所定の搬送先へ搬送することができる。
【００１６】
また、本発明によれば、有価媒体が媒体状態検出センサを通過する間に透光状態となったことが検出されて、かつ、実測値に基づく有価媒体の長さが有価媒体の実際の札長と同じであることを示す検出結果が得られた場合には、この有価媒体は穴の空いた状態で搬送されているもので、２枚以上に分離した状態で搬送されているものではないと正しく判定することができる。
【００１７】
また、本発明によれば、２枚以上に分離した状態で搬送されている有価媒体を搬送する搬送先が報知されるので、有価媒体処理装置の利用者は、例えば、２枚以上に分離した有価媒体をまとめて回収して分離した部分を接合する補修作業を容易に行うことができる。
【図面の簡単な説明】
【００１８】
【図１】図１は、本実施形態に係る有価媒体処理装置の内部構成を示す断面模式図である。
【図２】図２は、本実施形態に係る有価媒体処理装置の機能構成を説明するためのブロック図である。
【図３】図３は、有価媒体処理装置の収納部に収納された２種類の損券を出金口に排出する方法を説明する模式図である。
【図４】図４は、有価媒体処理装置内で搬送される有価媒体が正常媒体である場合の判定結果を説明する図である。
【図５】図５は、有価媒体処理装置内で搬送される有価媒体が穴の空いた穴空媒体である場合の判定結果を説明する図である。
【図６】図６は、有価媒体処理装置内で搬送される有価媒体が２枚に分離した分離媒体である場合の判定結果を説明する図である。
【図７】図７は、正常媒体、穴空媒体及び分離媒体を検出した際の実測値及び判定値を示す図である。
【図８】図８は、正常媒体、穴空媒体及び分離媒体を区別して検出する方法を示すフローチャートである。
【発明を実施するための形態】
【００１９】
以下に、添付図面を参照して、本発明に係る有価媒体処理装置の好適な実施形態を詳細に説明する。本実施形態では、紙幣の金種や真偽を機械識別して収納する通常の貨幣処理装置では受け付けられないほど損傷した紙幣や汚れた紙幣、古い紙幣、小切手等、機械受付できない有価媒体を受け付けて、内部に収納して管理する有価媒体処理装置を例に説明する。
【００２０】
図１は、有価媒体処理装置１の内部構成を示す断面模式図である。図１に示すように、有価媒体処理装置１には、装置内に収納する有価媒体を受け付けるための入金口１０と、装置内に収納された有価媒体を装置外に排出するための出金口６０とが設けられている。入金口１０には繰出機構１２が設けられており、操作員によって入金口１０に載置された複数の有価媒体は、この繰出機構１２により１枚ずつ装置内に繰り出される。装置内に繰り出された有価媒体は、装置内に設けられた搬送部１４によって搬送される。
【００２１】
搬送部１４には画像取得部１６が設けられている。画像取得部１６は、有価媒体処理装置１の装置内に繰り出された有価媒体を撮像して画像データを取得する機能を有する。また、搬送部１４には、有価媒体処理装置１の装置内に繰り出された有価媒体を一時的に保留する一時保留部２０が設けられている。
【００２２】
一時保留部２０は、有価媒体をテープに挟んで巻き取るテープ巻取方式の収納部である。一時保留部２０は正逆両方向に回転可能なドラム２０ａを有しており、このドラム２０ａによって一対のテープを巻き取ったり送り出したりすることができる。これにより、搬送部１４から一時保留部２０に送られた有価媒体は、この一対のテープの間に挟まれた状態で１枚ずつ順次ドラム２０ａに巻き取られて収納される。また、ドラム２０ａを逆転させると、巻き取られた有価媒体が１枚ずつ繰り出されて、搬送部１４に送り出されるようになっている。
【００２３】
また、有価媒体処理装置１の装置内には、小切手や手形等の有価媒体を収納する小切手収納部３０と、損券や旧券を収納する第１損券収納部４０及び第２損券収納部４２と、新券を収納する新券収納部５０とが設けられている。なお、損券として収納されるのは、例えば、通常の貨幣処理装置では受け付けられないほど損傷の激しい紙幣や汚れた紙幣等であり、旧券として収納されるのは、現在発行されている紙幣よりも発行された年代が古く市場での流通に適さない紙幣である。
【００２４】
小切手収納部３０は集積方式の収納部であり、搬送部１４から送られた小切手等の有価媒体は、既に内部に収納されている小切手等の上に積み重ねられるようにして収納される。小切手収納部３０は、第１小切手収納部３０ａ、第２小切手収納部３０ｂ及び第３小切手収納部３０ｃの３つの収納部から構成されており、例えば、小切手を発行した銀行等の情報に基づいて小切手を各収納部３０ａ〜３０ｃに分類して収納できるようになっている。
【００２５】
第１損券収納部４０及び第２損券収納部４２には損券や旧券が収納される。第１損券収納部４０は集積方式の収納部であり、搬送部１４から送られた損券や旧券は、既に内部に収納されている損券や旧券の上に積み重ねられるようにして収納される。一方、第２損券収納部４２はテープ巻取方式の収納部である。第２損券収納部４２は正逆両方向に回転可能なドラム４２ａを有しており、このドラム４２ａによって一対のテープを巻き取ったり送り出したりすることができる。これにより、搬送部１４から送られた有価媒体は、この一対のテープの間に挟まれた状態で１枚ずつ順次ドラム４２ａに巻き取られて収納される。また、ドラム４２ａを逆転させると、巻き取られた有価媒体が１枚ずつ繰り出されて、搬送部１４に送り出されるようになっている。
【００２６】
新券収納部５０は、第１新券収納部５０ａ、第２新券収納部５０ｂ、第３新券収納部５０ｃ及び第４新券収納部５０ｄの４つの収納部から構成されている。例えば、各収納部５０ａ〜５０ｄに金種別に新券を収納する。各収納部５０ａ〜５０ｄには繰出機構５２ａ〜５２ｄが設けられており、内部に収納されている新券を１枚ずつ搬送部１４に繰り出せるようになっている。なお、新券収納部５０に収納される「新券」とは、中央銀行から銀行等の金融機関に配送され、未だ市場流通していない官封券のことをいう。
【００２７】
出金口６０は搬送部１４に接続されており、搬送部１４によって搬送された有価媒体は搬送部１４ｃ又は１４ｄを経て出金口６０内に排出される。紙幣は搬送部１４ｄから排出され、搬送方向の長さが長い小切手等は搬送部１４ｃから排出される。出金口６０には羽根車６２が設けられており、搬送部１４から羽根車６２に送られた有価媒体は、羽根車６２を形成する一対の羽根の間に挟まれた状態で当該羽根車６２が図１で反時計回りに回転することにより出金口６０に送られる。出金口６０にはシャッタ６１ａが設けられており、操作員は、このシャッタ６１ａが開放状態となったときに、出金口６０に集積された損券や新券等の有価媒体を取り出すことができる。また、出金口６０には抜取検知部６１ｂが設けられており、出金口６０に集積された有価媒体が当該出金口６０から抜き取られたことを検知できるようになっている。
【００２８】
有価媒体処理装置１の装置内で有価媒体を搬送する搬送部１４は、第１搬送部１４ａ及び第２搬送部１４ｂから構成されている。第１搬送部１４ａは、入金口１０から装置内に繰り出された有価媒体を、一時保留部２０、小切手収納部３０、第１損券収納部４０及び第２損券収納部４２に搬送するものである。一方、第２搬送部１４ｂは、新券収納部５０に収納された新券を繰り出して出金口６０に搬送するものである。第１搬送部１４ａ及び第２搬送部１４ｂは、接続箇所１４ｐで接続されているが、それ以外の箇所では互いに独立したものとなっている。搬送部１４には、複数の位置に、有価媒体の通過を検出するための媒体検出センサと、媒体検出センサによる有価媒体の検出結果に基づいて有価媒体の搬送先を切り換えるための分岐爪とが設けられている。
【００２９】
媒体検出センサは搬送部１４を挟んで配置された投光部及び受光部から成り、通常は投光部から照射された光が受光部で受光される透光状態にある。媒体検出センサは、投光部からの照射光が搬送部１４を通過する有価媒体によって遮光されたことに基づいて有価媒体前縁の通過を検出し、その後再び遮光状態から透光状態に変化したことに基づいて有価媒体後縁の通過を検出する。分岐爪は搬送路の分岐点に設けられており、媒体検出センサによる検出結果に基づいて分岐爪を制御することにより、それぞれの有価媒体が到来するタイミングに合わせて有価媒体の搬送先を切り換えられるようになっている。
【００３０】
有価媒体処理装置１では、第１搬送部１４ａに配置されたこれらの媒体検出センサの少なくとも１つを、有価媒体の搬送状態を検出するための媒体状態検出センサ７０として利用する。図１に示す有価媒体処理装置１では、第１損券収納部４０と第２損券収納部４２との間の第１搬送部１４ａにある媒体検出センサを媒体状態検出センサ７０として利用する。
【００３１】
第２搬送部１４ｂには簡易識別部６４が設けられている。簡易識別部６４は、新券収納部５０から第２搬送部１４ｂに繰り出された新券の金種のみを識別する機能を有する。また、有価媒体処理装置１の前面（図１左側）には扉１８が設けられており、特定の権限を有する者が扉１８を開けて有価媒体処理装置１の装置内部にアクセスできる。この扉１８を開くことにより新券収納部５０に新券を補充したり新券収納部５０から新券を取り出したりすることができるようになっている。
【００３２】
本実施形態では、第２損券収納部４２に収納されている損券を繰り出して搬送部１４を搬送する場合を例に、有価媒体処理装置１が、搬送部１４上での有価媒体の状態を検出する方法について説明する。第２損券収納部４２では、損券がテープの間に挟まれてドラム４２ａに巻かれた状態で収納されており、収納されている損券については、収納されている順序や金種等の情報が有価媒体処理装置１内で管理されている。
【００３３】
図２は、有価媒体処理装置１の機能構成を説明するためのブロック図である。有価媒体処理装置１は、図１に示した構成部の他に、制御部８０及び記憶部９０を有している。なお、図２では有価媒体の搬送状態を検出するために必要な構成部のみを示している。
【００３４】
制御部８０は、装置内での有価媒体の搬送を制御する搬送制御部８１と、媒体状態検出センサ７０による検出結果に基づいて有価媒体の搬送状態を判定する媒体状態判定部８２と、２枚以上に分離された状態で搬送された有価媒体の搬送先を報知する報知部８３とを有している。
【００３５】
記憶部９０は、制御部８０で利用する各種の情報を記憶するための不揮発性記憶装置である。記憶部９０には、第２損券収納部４２に収納されている損券の順序と、金種と、媒体状態検出センサ７０によって検出されるべき損券の札長とが、関連付けられた状態で収納媒体情報９１として記憶されている。これにより、有価媒体処理装置１では、第２損券収納部４２に収納されている損券を順に繰り出して搬送部１４を搬送する際に、繰り出される損券の金種、媒体状態検出センサ７０によって検出される札長等を認識できるようになっている。なお、媒体状態検出センサ７０によって検出される札長とは、欠損が無い損券では、この損券と同一金種の紙幣の搬送方向の札長である。また、搬送方向前縁側や後縁側の一部が欠損している損券では、媒体状態検出センサ７０を通過する位置での搬送方向の札長である。
【００３６】
損券の札長は、例えば、有価媒体処理装置１で損券を受け付けて収納する際に、画像取得部１６によって撮像した損券画像から算出して決定する。ただし、損券の札長の決定方法がこれに限定されるものではなく、例えば、搬送部１４に設けられた媒体検出センサや媒体状態検出センサ７０によって損券の札長を実際に測定する態様であっても構わない。また、損券の金種を機械識別できた場合や金種が図示しない操作部を操作して入力された場合に、予め記憶されている各金種の紙幣の札長を参照して決定する態様であっても構わない。また、損券の札長等の情報は、有価媒体処理装置１内部の記憶部９０に保存される態様に限らず、有価媒体処理装置１と通信可能に接続された外部装置に保存される態様であっても構わない。
【００３７】
有価媒体の搬送状態を検出する処理は、入金口１０に損券を受け付けて収納する処理や第２損券収納部４２から損券を出金口６０へ排出する処理の処理中に行われる。また、入金処理や出金処理の他、装置内の貨幣の量を確認するための精査処理等、貨幣の搬送を伴う様々な処理時に搬送状態の検出処理を行うことができる。これらの処理の一例として、第２損券収納部４２から２種類の損券を繰り出して出金口６０へ排出する処理について説明する。
【００３８】
図３は、２金種の損券を第２損券収納部４２から繰り出して出金口６０へ排出する方法を説明する図である。例えば、第２損券収納部４２に収納されている一万円札及び五千円札を全て排出する処理を例に説明する。具体的には、第２損券収納部４２に収納されている全ての一万円札を出金口６０へ排出した後、続いて第２損券収納部４２に収納されている全ての五千円札を出金口６０へ排出する。
【００３９】
まず、搬送制御部８１によって第２損券収納部４２及び一時保留部２０が制御されて、図３（ａ）に示すように、第２損券収納部４２から順に繰り出された損券が、搬送部１４に設けられた媒体状態検出センサ７０を通過する。このとき、媒体状態検出センサ７０では損券の状態を判定するための計測が行われて、計測結果が媒体状態判定部８２へ入力される。そして、媒体状態判定部８２によって損券の搬送状態が判定されるが判定処理の詳細については後述する。
【００４０】
搬送制御部８１は、記憶部９０に保存された収納媒体情報９１を参照して、媒体状態検出センサ７０を通過した損券が一万円札である場合には、搬送部１４を制御して、これを出金口６０へ搬送して排出する（図３（ａ）の（１））。一方、搬送制御部８１は、媒体状態検出センサ７０を通過した損券が五千円札である場合には、搬送部１４及び一時保留部２０を制御して、これを一時保留部２０へ搬送して収納する（図３（ａ）の（２））。また、搬送制御部８１は、媒体状態検出センサ７０を通過した損券が出金対象外の金種である場合、金種によらず媒体状態判定部８２により２枚以上に分離して搬送されていると判定された場合も、五千円札の場合と同様に、一時保留部２０へ搬送して収納する（図３（ａ）の（３））。すなわち、２枚以上に分離していない一万円札のみが出金口６０へ搬送され、２枚以上に分離した一万円札を含む他の損券は全て一時保留部２０へ搬送される。このとき、搬送制御部８１は、一時保留部２０に収納した損券の順序、金種、媒体状態判定部８２よる判定結果を含む情報を、記憶部９０に保存する。
【００４１】
第２損券収納部４２に収納された全ての一万円札を出金口６０へ排出した後、シャッタ６１ａが開いて出金口６０内の紙幣全てが抜き取られると、抜取検知部６１ｂによって、この抜き取りが検知される。出金口６０内に五千円札を排出可能な状態になると、搬送制御部８１は、一時保留部２０を制御して、図３（ｂ）に示すように、一時保留部２０に収納されていた五千円札、出金対象外金種の損券、２枚以上に分離した損券の繰出を開始する。
【００４２】
搬送制御部８１は、先に記憶部９０に保存しておいた情報に基づいて一時保留部２０から繰り出された損券の金種や状態を認識する。そして、搬送制御部８１は、損券が五千円札である場合には、これを出金口６０へ搬送して排出する（図３（ｂ）の（１））。一方、搬送制御部８１は、一時保留部２０から繰り出された損券が出金対象外の損券である場合には、搬送部１４及び第２損券収納部４２を制御して、これを第２損券収納部４２へ搬送して収納する（図３（ｂ）の（２））。また、一時保留部２０から繰り出された損券が２枚以上に分離した損券である場合には、搬送制御部８１は、搬送部１４を制御して、これを第１損券収納部４０へ収納する（図３（ｂ）の（３））。なお、これらの処理中に、一時保留部２０、第１損券収納部４０及び第２損券収納部４２のそれぞれに収納された損券の種類や収納した時間等の情報が、収納順序と関連付けて記憶部９０に記録され、収納状態の変化に応じて記録された情報が更新されるようになっている。
【００４３】
全ての五千円札が出金口６０へ排出されると、シャッタ６１ａが開いて出金口６０内の紙幣全てが抜き取られる。こうして、第２損券収納部４２に収納されていた一万円札及び五千円札の２金種の損券全てを出金口６０へ排出することができる。
【００４４】
一方、２枚以上に分離した全ての損券を第１損券収納部４０へ収納する処理が完了すると、図２に示す報知部８３が、図示しない表示部への情報表示や第２損券収納部４２に設けたランプ等により、第１損券収納部４０に２枚以上に分離された損券が収納されていることを操作員に報知する。この報知を確認した操作員は、第１損券収納部４０に集められた損券を取り出して、破れを補修する。そして、補修した一万円札は先に出金口６０から出金された一万円札と共に回収する。一方、補修した他金種の損券は、例えば、有価媒体処理装置１へ再度入金して第２損券収納部４２へ収納する。
【００４５】
なお、２枚以上に分離された損券については、第１損券収納部４０へ搬送して収納する態様の他、入金口１０へ搬送して排出する態様であっても構わない。操作員は、出金対象の損券を出金口６０から回収すると共に、破れた損券を入金口１０から取り出して補修等の作業を行うことができる。
【００４６】
次に、搬送部１４を搬送される損券が２枚以上に分離されていることを検出する方法について説明する。図４は搬送される損券に穴が空いておらずかつ分離していない正常な状態にある場合（正常媒体１００）を示し、図５は図４と同じ金種の損券に穴が空いている場合（穴空媒体１０１）を示し、図６は図４と同じ金種の損券が２枚に分離している場合（分離媒体１０２）を示している。
【００４７】
有価媒体処理装置１では、有価媒体が２枚以上に分離された状態で搬送されていることを検出することができるが、以下では、説明を簡単にするため、図６に示すように損券が２枚に分離された場合を例として、図６に示す分離媒体１０２を、図４に示す正常媒体１００及び図５に示す穴空媒体１０１と区別して検出する方法を説明する。
【００４８】
なお、図４〜図６では、（ａ）が搬送部１４の媒体状態検出センサ７０を図中矢印で示す方向に通過する損券の外観、（ｂ）が媒体状態検出センサ７０により損券を検出した際の検出信号、（ｃ）が損券の前縁を検出してから後縁の検出を確定する迄の間に媒体状態検出センサ７０によって透光状態を検出した透光検出信号、（ｄ）が損券の前縁を検出してから後縁の検出を確定する迄の間に媒体状態検出センサ７０によって測定された実際の距離を示す実測値、（ｅ）が損券が２枚に分離されているか否かを判定するための判定値を示している。
【００４９】
図４は、媒体状態検出センサ７０により正常媒体１００を検出した際の検出結果を説明する図である。図４（ａ）に示すように、搬送方向の札長が１６０ｍｍである正常媒体１００が搬送部１４を搬送されて、有価媒体前縁（図中左側の端部）が媒体状態検出センサ７０の設置位置に到達すると、同図（ｂ）に示すように、有価媒体処理装置１の媒体状態判定部８２が、媒体状態検出センサ７０が透光状態から遮光状態に変化したことを検出する（ｔ＝ｔ０１）。この後、遮光状態が、正常媒体１００の前縁側２０ｍｍが通過する間（ｔ＝ｔ０１〜ｔ０２）継続した場合に、媒体状態判定部８２は、先に検出した遮光状態への変化が有価媒体前縁によるものであると確定する。
【００５０】
すなわち、媒体状態判定部８２は、媒体状態検出センサ７０が透光状態から遮光状態に変化した後、この遮光状態が予め定められた所定時間継続した場合に、遮光状態に変化したタイミングを有価媒体前縁が通過したタイミングであると判定する。これにより、例えば、埃によって媒体状態検出センサ７０が一時的に遮光された場合等に、これを有価媒体前縁と誤検知しないようになっている。
【００５１】
有価媒体処理装置１では、有価媒体前縁が確定された後、この有価媒体が、搬送方向の札長の８０％の距離を搬送される間をマスク範囲として設定している。図４（ｂ）に破線で示すマスク範囲の間は、前縁が確定された有価媒体の後縁（図４（ａ）の右側端部）通過を検出する処理を行わない。具体的には、札長が１６０ｍｍの正常媒体１００の前縁が媒体状態検出センサ７０の設置位置を通過して（ｔ＝ｔ０１）、その後さらに２０ｍｍ通過して前縁が確定されると（ｔ＝ｔ０２）、ここから１２８ｍｍ（札長１６０ｍｍの８０％）通過するまでの間（ｔ＝ｔ０２〜ｔ０３）をマスク範囲として、この間は有価媒体後縁の検出処理を行わない。
【００５２】
なお、有価媒体が媒体状態検出センサ７０の設置位置を通過しながら搬送される距離は、搬送制御部８１によって制御される搬送速度と、時間とに基づいて算出される。媒体状態判定部８２は、計測時間と搬送制御部８１から取得した有価媒体の搬送速度とに基づいて、有価媒体が媒体状態検出センサ７０を通過しながら搬送される搬送距離を算出する。有価媒体が媒体状態検出センサ７０を通過しながら搬送される距離は有価媒体の搬送方向の長さに対応している。具体的には、例えば、媒体状態検出センサ７０の設置位置を有価媒体の前縁が通過してから２０ｍｍの距離を搬送された場合には、有価媒体前縁から、この位置までの有価媒体の搬送方向の長さが２０ｍｍであることを示している。
【００５３】
有価媒体のマスク範囲が媒体状態検出センサ７０の設置位置を通過した後、有価媒体後縁を検出する処理が開始される。正常媒体１００の後縁が媒体状態検出センサ７０の設置位置に到達すると、媒体状態判定部８２は、媒体状態検出センサ７０が遮光状態から透光状態に変化したことを検出する（図４（ｂ）ｔ＝ｔ０４）。この後、正常媒体１００が１０ｍｍの距離を搬送される間（ｔ＝ｔ０４〜ｔ０５）透光状態が継続した場合に、媒体状態判定部８２は、先に検出した透光状態への変化が有価媒体後縁によるものであると確定する。
【００５４】
すなわち、媒体状態判定部８２は、マスク範囲が通過した後、媒体状態検出センサ７０が遮光状態から透光状態に変化して、この透光状態が予め定められた所定時間継続した場合に、透光状態に変化したタイミングを有価媒体後縁が通過したタイミングであると判定する。これにより、例えば、有価媒体に空いた穴により媒体状態検出センサ７０が一時的に透光状態となった場合等に、これを有価媒体後縁と誤検知しないようになっている。
【００５５】
媒体状態判定部８２は、図４（ｂ）に示すように有価媒体の前縁及び後縁の到来を監視する監視処理と並行して、同図（ｃ）に示すように、有価媒体前縁が通過してから有価媒体後縁の通過が確定する迄の間に（ｔ＝ｔ０１〜ｔ０５）媒体状態検出センサ７０が透光状態となったか否かを監視して、透光状態となった時間を、透光検出信号としてカウントしている。すなわち、透光検出信号とは、媒体状態検出センサ７０の位置を有価媒体が通過している間に、媒体状態検出センサ７０により有価媒体を検出できない状態となったことを示す信号である。正常媒体１００の透光検出信号では、前縁が通過してから後縁が通過するまでの間は（ｔ＝ｔ０１〜ｔ０４）、媒体状態検出センサ７０が遮光状態となるので、後縁通過により遮光状態から透光状態に変化してから、この変化が後縁によるものであると確定されるまでの間が（ｔ＝０４〜ｔ０５）、透光状態として検出される。
【００５６】
こうして、図４（ａ）に示す正常媒体１００が媒体状態検出センサ７０を通過する間に、媒体状態判定部８２により、同図（ｂ）に示す媒体検出信号と、同図（ｃ）に示す透光検出信号とが取得される。媒体状態判定部８２は、これらの信号から、図４（ｄ）に示す実測値及び同図（ｅ）に示す判定値を算出する。
【００５７】
実測値は、有価媒体の前縁を検出してから、この有価媒体の後縁が確定するまでの間に、有価媒体が搬送される距離を計測した値であり、媒体検出信号から算出される。図４の正常媒体１００では、媒体状態検出センサ７０の設置位置を正常媒体１００の前縁が通過してから後縁が確定されるまでの間に（ｔ＝ｔ０１〜ｔ０５）、正常媒体１００が搬送される距離である。具体的には、図４（ｄ）に示すように、正常媒体１００の札長１６０ｍｍに、後縁が確定するまでの間に正常媒体１００が搬送される距離１０ｍｍを加えた１７０ｍｍが実測値となる。
【００５８】
判定値は、媒体状態検出センサ７０で検出されるべき有価媒体の札長（媒体基準長）と、有価媒体前縁が検出されてから有価媒体後縁が確定するまでの間に透光状態が検出された距離（後縁判定透光距離）との加算値であり、図４（ｃ）に示す透光検出信号から算出される。正常媒体１００では、媒体基準長となる正常媒体１００の札長に、後縁通過から後縁確定までの時間長（ｔ＝ｔ０４〜ｔ０５）に対応する正常媒体１００の搬送距離を加算して、同図（ｅ）に示すように算出される。具体的には、正常媒体１００の媒体基準長１６０ｍｍに後縁判定透光距離１０ｍｍを加えた１７０ｍｍが判定値となる。
【００５９】
なお、媒体基準長は、記憶部９０の収納媒体情報９１を参照して取得される。収納媒体情報９１には、第２損券収納部４２から繰り出された各損券が媒体状態検出センサ７０を通過する際に計測されるべき各損券の札長に関する情報が含まれているので、媒体状態判定部８２は、この情報を取得して媒体基準長として利用する。
【００６０】
こうして実測値及び判定値を算出した結果、実測値と判定値とが一致して、かつ、この値が媒体基準長に後縁判定透光距離を加算した値と等しい場合に、媒体状態判定部８２は、検出した有価媒体は、分離された有価媒体ではなく正常な有価媒体であると判定する。
【００６１】
図５は、媒体状態検出センサ７０により穴空媒体１０１を検出した際の検出結果を説明する図である。図５（ａ）に示すように、搬送方向の札長が１６０ｍｍで、紙幣に穴２０１が空いている穴空媒体１０１が搬送部１４を搬送されて、有価媒体前縁が媒体状態検出センサ７０の設置位置に到達すると、同図（ｂ）に示すように、有価媒体処理装置１の媒体状態判定部８２は、媒体状態検出センサ７０が透光状態から遮光状態に変化したことを検出する（ｔ＝ｔ１１）。この後、遮光状態が、穴空媒体１０１の前縁側２０ｍｍが通過する間（ｔ＝ｔ１１〜ｔ１２）継続した場合に、媒体状態判定部８２は、先に検出した遮光状態への変化が有価媒体前縁によるものであると確定する。
【００６２】
有価媒体処理装置１では、図５（ｂ）に破線で示すマスク範囲の間は、前縁が確定された有価媒体の後縁を検出する処理を行わない。具体的には、媒体状態検出センサ７０の設置位置を、穴空媒体１０１の前縁が通過して（ｔ＝ｔ１１）、その後さらに２０ｍｍ通過して前縁が確定されると（ｔ＝ｔ１２）、ここから１２８ｍｍ通過するまでの間（ｔ＝ｔ１２〜ｔ１５）、有価媒体後縁の検出処理を行わない。
【００６３】
有価媒体のマスク範囲が媒体状態検出センサ７０の設置位置を通過した後、穴空媒体１０１の後縁が媒体状態検出センサ７０の設置位置に到達すると、媒体状態判定部８２は、媒体状態検出センサ７０が遮光状態から透光状態に変化したことを検出する（ｔ＝ｔ１６）。この後、穴空媒体１０１が１０ｍｍの距離を搬送される間（ｔ＝ｔ１６〜ｔ１７）透光状態が継続した場合に、媒体状態判定部８２は、先に検出した透光状態への変化が有価媒体後縁によるものであると確定する。
【００６４】
媒体状態判定部８２は、図５（ｂ）に示すように有価媒体の前縁及び後縁を検出する監視処理と並行して、同図（ｃ）に示すように、有価媒体前縁が通過してから有価媒体後縁の通過が確定する迄の間に（ｔ＝ｔ１１〜ｔ１７）、媒体状態検出センサ７０が透光状態となった時間をカウントしている。すなわち、媒体状態検出センサ７０の位置を有価媒体が通過している間に、媒体状態検出センサ７０により有価媒体を検出できない状態となった時間をカウントしている。
【００６５】
穴空媒体１０１の場合は、図５（ｃ）に示すように、有価媒体にある穴２０１が媒体状態検出センサ７０の設置位置を通過する間が（ｔ＝ｔ１３〜ｔ１４）、透光状態として検出される。また、後縁通過により遮光状態から透光状態に変化してから、この変化が後縁によるものであると確定されるまでの間も（ｔ＝１６〜ｔ１７）、透光状態として検出される。
【００６６】
こうして、図５（ａ）に示す穴空媒体１０１が媒体状態検出センサ７０の設置位置を通過する間に、媒体状態判定部８２により、同図（ｂ）に示す媒体検出信号と、同図（ｃ）に示す透光検出信号とが取得される。媒体状態判定部８２は、これらの信号から、図５（ｄ）に示す実測値及び同図（ｅ）に示す判定値を算出する。
【００６７】
実測値は、媒体状態検出センサ７０の設置位置を穴空媒体１０１の前縁が通過してから後縁が確定されるまでの間に（ｔ＝ｔ１１〜ｔ１７）穴空媒体１０１が搬送される距離で、図５（ｄ）に示すように、札長１６０ｍｍに、後縁が確定するまでの間に穴空媒体１０１が搬送される距離１０ｍｍを加えた１７０ｍｍとなる。
【００６８】
一方、判定値は、媒体基準長に、有価媒体前縁が検出されてから有価媒体後縁が確定するまでの間に透光状態が検出された距離を加算した値で、透光検出信号に基づいて図５（ｅ）に示すように算出される。図５の穴空媒体１０１では、媒体基準長１６０ｍｍに、穴２０１が検出されている間に（ｔ＝ｔ１３〜ｔ１４）穴空媒体１０１が搬送される穴透光距離１５ｍｍと、後縁通過から後縁確定までの間に（ｔ＝１６〜ｔ１７）穴空媒体１０１が搬送される後縁判定透光距離１０ｍｍを加えた１８５ｍｍが判定値となる。
【００６９】
こうして実測値及び判定値を算出した結果、実測値と判定値とが一致しない場合に、媒体状態判定部８２は、検出した有価媒体は分離された有価媒体ではなく、穴の空いた有価媒体であると判定する。
【００７０】
図６は、媒体状態検出センサ７０により分離媒体１０２を検出した際の検出結果を説明する図である。図６（ａ）に示すように、札長１６０ｍｍの分離媒体１０２が１００ｍｍの前側紙片１０２ａと６０ｍｍの後側紙片１０２ｂの２枚に分離された状態で搬送部１４を搬送されて、前側紙片１０２ａの有価媒体前縁が媒体状態検出センサ７０の設置位置に到達すると、同図（ｂ）に示すように、有価媒体処理装置１の媒体状態判定部８２は、媒体状態検出センサ７０が透光状態から遮光状態に変化したことを検出する（ｔ＝ｔ２１）。この後、遮光状態が、前側紙片１０２ａの前縁側２０ｍｍが通過する間（ｔ＝ｔ２１〜ｔ２２）継続した場合に、媒体状態判定部８２は、先に検出した遮光状態への変化が分離媒体１０２の前縁によるものであると確定する。
【００７１】
有価媒体処理装置１では、図６（ｂ）に破線で示すマスク範囲の間は、前縁が確定された有価媒体の後縁を検出する処理を行わない。具体的には、媒体状態検出センサ７０の設置位置を、前側紙片１０２ａの前縁が通過して（ｔ＝ｔ２１）、その後さらに２０ｍｍ通過して前縁が確定されると（ｔ＝ｔ２２）、ここから１２８ｍｍ通過するまでの間（ｔ＝ｔ２２〜ｔ２５）、有価媒体後縁の検出処理を行わない。
【００７２】
有価媒体のマスク範囲が媒体状態検出センサ７０の設置位置を通過した後、後側紙片１０２ｂの後縁が媒体状態検出センサ７０の設置位置に到達すると、媒体状態判定部８２は、媒体状態検出センサ７０が遮光状態から透光状態に変化したことを検出する（ｔ＝ｔ２６）。この後、分離媒体１０２が１０ｍｍの距離を搬送される間（ｔ＝ｔ２６〜ｔ２７）透光状態が継続した場合に、媒体状態判定部８２は、先に検出した透光状態への変化が分離媒体１０２の後縁によるものであると確定する。
【００７３】
媒体状態判定部８２は、図６（ｂ）に示すように有価媒体の前縁及び後縁を検出する監視処理と並行して、同図（ｃ）に示すように、有価媒体前縁が通過してから有価媒体後縁の通過が確定する迄の間に（ｔ＝ｔ２１〜ｔ２７）、媒体状態検出センサ７０が透光状態となった時間をカウントしている。すなわち、媒体状態検出センサ７０の位置を有価媒体が通過している間に、媒体状態検出センサ７０により有価媒体を検出できない状態となった時間をカウントしている。
【００７４】
分離媒体１０２の場合は、図６（ｃ）に示すように、前側紙片１０２ａの紙片後縁が媒体状態検出センサ７０の設置位置を通過してから後側紙片１０２ｂの紙片前縁が媒体状態検出センサ７０の設置位置に到達するまでの間が（ｔ＝ｔ２３〜ｔ２４）、透光状態として検出される。また、後側紙片１０２ｂの後縁通過により遮光状態から透光状態に変化してから、この変化が後縁によるものであると確定されるまでの間も（ｔ＝２６〜ｔ２７）、透光状態として検出される。
【００７５】
こうして、図６（ａ）に示す分離媒体１０２が媒体状態検出センサ７０の設置位置を通過する間に、媒体状態判定部８２により、同図（ｂ）に示す媒体検出信号と、同図（ｃ）に示す透光検出信号とが取得される。媒体状態判定部８２は、これらの信号から、図６（ｄ）に示す実測値及び同図（ｅ）に示す判定値を算出する。
【００７６】
実測値は、媒体状態検出センサ７０の設置位置を分離媒体１０２の前縁が通過してから後縁が確定されるまでの間に（ｔ＝ｔ２１〜ｔ２７）分離媒体１０２が搬送される距離で、図６（ｄ）に示すように、前側紙片１０２ａの長さ１００ｍｍ及び後側紙片１０２ｂの長さ６０ｍｍを合わせた分離媒体１０２の札長１６０ｍｍに、前側紙片１０２ａの紙片後縁から後側紙片１０２ｂの紙片前縁までの間を搬送される穴透光距離１５ｍｍと、後縁が確定するまでの間に分離媒体１０２が搬送される後縁判定透光距離１０ｍｍとを加えた１８５ｍｍとなる。
【００７７】
一方、判定値は、媒体基準長に、有価媒体前縁が検出されてから有価媒体後縁が確定するまでの間に透光状態が検出された距離を加算した値で、透光検出信号から図６（ｅ）に示すように算出される。図６の分離媒体１０２では、媒体基準長１６０ｍｍに、前側紙片１０２ａの紙片後縁から後側紙片１０２ｂの紙片前縁までの間で透光状態が検出されている間に（ｔ＝ｔ２３〜ｔ２４）分離媒体１０２が搬送される穴透光距離１５ｍｍと、後縁通過から後縁確定までの間に（ｔ＝２６〜ｔ２７）分離媒体１０２が搬送される後縁判定透光距離１０ｍｍを加えた１８５ｍｍが判定値となる。
【００７８】
こうして実測値及び判定値を算出した結果、実測値と判定値とが一致して、かつ、この値が媒体基準長に後縁判定透光距離を加算した値より大きい場合に、媒体状態判定部８２は、検出した有価媒体が分離された有価媒体であると判定する。
【００７９】
図７は、図４〜図６に示した実測値及び判定値をまとめたものである。媒体状態判定部８２は、実測値と判定値とが異なる場合に穴空媒体であると判定する。また、実測値と判定値とが同じ値であり、この値が媒体基準長に後縁判定透光距離を加算した値と同じ値であれば、正常媒体であると判定する。また、実測値と判定値とが同じ値であり、この値が媒体基準長に後縁判定透光距離を加算した値よりも大きい値であれば、分離媒体であると判定する。
【００８０】
図８は、正常媒体、穴空媒体及び分離媒体を区別して検出する方法を説明するフローチャートである。図３を参照しながら説明したように、有価媒体処理装置１内の第２損券収納部４２から損券が繰り出されると、媒体状態判定部８２は、記憶部９０の収納媒体情報９１を参照して、繰り出された損券の媒体基準長を取得する（ステップＳ１１）。そして、図４〜図６を参照しながら説明したように、媒体状態判定部８２は、損券が媒体状態検出センサ７０を通過した際の媒体検出信号に基づいて、繰り出された損券の札長に対応する実測値を算出する（ステップＳ１２）。また、媒体状態判定部８２は、記憶部９０から取得した媒体基準長と、損券が媒体状態検出センサ７０を通過した際の透光検出信号とに基づいて、繰り出された損券の札長と透光距離の和に対応する判定値を算出する（ステップＳ１３）。
【００８１】
媒体状態判定部８２は、こうして算出した実測値と判定値とを比較して（ステップＳ１４）、実測値と判定値とが、予め定められた許容範囲を超えて異なる場合、すなわち一致しない場合には（ステップＳ１４；Ｎｏ）、この損券は穴の空いた損券（穴空媒体）であると判定して（ステップＳ１６）処理を終了する。
【００８２】
一方、実測値と判定値とが許容範囲内で一致する場合には（ステップＳ１４；Ｙｅｓ）、媒体状態判定部８２は、判定値と媒体基準長とを比較して（ステップＳ１５）、判定値と媒体基準長とが、予め定められた許容範囲を超えて異なる場合、すなわち一致しない場合には（ステップＳ１５；Ｎｏ）、この損券は２枚以上に分離された損券（分離媒体）であると判定する（ステップＳ１７）。そして、判定値と媒体基準値とが許容範囲内で一致する場合には（ステップＳ１５；Ｙｅｓ）、この損券は、媒体状態検出センサ７０の設置位置には穴が無くかつ２枚以上に分離されていない損券（正常媒体）であると判定して（ステップＳ１８）処理を終了する。
【００８３】
なお、本実施形態では、正常媒体との検出結果の違いを示すため、正常媒体についても実測値及び判定値を求めて判定する方法を示したが、本実施形態がこれに限定されるものではなく、有価媒体の前縁から後縁に至るまでの間に透光状態にあることが検出されなければ正常媒体であると判定して、透光状態にあることが検出された有価媒体についてのみ、この透光状態が有価媒体に空いた穴によるものか、有価媒体が分離されていることによるものかを判定する態様であっても構わない。具体的には、媒体前縁から後縁に至るまでの間に透光状態にあることが検出された場合にのみ実測値及び判定値を算出して、実測値と判定値とが異なる場合には穴空媒体であると判定し、実測値と判定値とが一致する場合には分離媒体であると判定すれば、上述したように、正常媒体、穴空媒体及び分離媒体のいずれであるかを区別して検出することができる。
【００８４】
また、本実施形態では、実測値及び判定値に、有価媒体の後縁を検出してから後縁であることが確定されるまでの間に有価媒体が搬送される後縁判定透光距離を加算しているが、本実施形態がこれに限定されるものではなく、有価媒体の前縁を検出してから後縁を検出するまでの間の検出結果のみを対象とするものであっても構わない。具体的には、図４〜図６の（ｄ）及び（ｅ）で後縁判定透光距離１０ｍｍを加算しない場合でも、図７に示す実測値及び判定値の全ての値がそれぞれ１０ｍｍ減算されるだけで、上述した方法により、有価媒体が正常媒体、穴空媒体及び分離媒体のいずれであるかを区別して検出することができる。
【００８５】
また、本実施形態では、媒体状態検出センサ７０を搬送部１４の１ヵ所に設ける例を示したが、媒体状態検出センサ７０は、搬送部１４の複数個所に設ける態様であっても構わない。また、本実施形態では、媒体状態検出センサ７０として、搬送方向と垂直な方向に２つのセンサを並べて配置する例を示したが、センサ個数がこれに限定されるものではなく１つであってもよいし３つ以上であっても構わない。また、搬送部１４で、搬送方向と垂直な方向にセンサを配置する位置は、搬送部１４の構造及びサイズと処理対象とする紙幣サイズとの関係等に応じて適宜設定されるものである。
【００８６】
また、本実施形態では、対向配置された投光部及び受光部から成る透過型センサを媒体状態検出センサ７０として利用して、有価媒体の通過による透光状態及び遮光状態の変化を検出する態様を示したが、媒体状態検出センサ７０の構造がこれに限定されるものではない。例えば、搬送部１４へ向けて光を照射する投光部と、該投光部から照射されて搬送部１４で反射された光を受光する受光部とによって構成される反射型センサを、媒体状態検出センサ７０として利用してもよい。反射型センサを利用する場合も、搬送部１４を搬送される有価媒体によって反射光が変化することに基づいて有価媒体の通過を検出することができる。
【００８７】
また、本実施形態では損券を例に説明を行ったが、搬送状態の検出対象がこれに限定されるものではない。具体的には、正券、商品券等の金券類、伝票や納付書等の帳票類、切り取り用のミシン目が付いた各種の紙葉類等、様々な媒体を検出対象として搬送状態を検出することができる。
【００８８】
また、本実施形態では、有価媒体の前縁通過から２０ｍｍで前縁通過を確定し、後縁通過から１０ｍｍで後縁通過を確定する例を示したが、前縁及び後縁の通過から確定までの距離（時間）は、それぞれ設定により変更できるようになっている。また、本実施形態では１６０ｍｍの札長の紙幣で札長の８０％に相当する距離をマスク範囲とする例を示したが、マスク範囲として設定する距離（時間）についても、設定により変更できるようになっている。
【００８９】
上述してきたように、本実施形態に係る有価媒体処理装置１によれば、透過型センサから成る媒体状態検出センサ７０が透光状態にあるか遮光状態にあるかを監視して、有価媒体の前縁が媒体状態検出センサ７０を通過してから後縁が通過したことが確定されるまでの間に有価媒体が搬送された距離である実測値と、該実測値を得る間に透光状態にあることが検出された距離に媒体状態検出センサ７０によって検出されるべきこの有価媒体の長さを示す媒体基準長を加算した判定値とを比較することにより、有価媒体が、正常媒体、穴空媒体及び分離媒体のいずれであるかを区別して検出することができる。
【００９０】
有価媒体が分離した状態で搬送されていることを正確に検出することができるので、１枚の有価媒体を誤って２枚と検出することがなく、有価媒体の枚数計数等の処理を正確に行うことができる。また、有価媒体が２枚以上に分離されたことを検出した際に、処理を停止することなく継続して、２枚に分離された有価媒体を１枚の有価媒体として所定の搬送先へ搬送することができる。
【００９１】
また、２枚以上に分離され、これらを接合する補修作業が必要となる有価媒体を所定の搬送先へ搬送して、この搬送先を報知することができるので、例えば、補修が不要な紙幣のみを出金して、補修が必要な紙幣はまとめて補修するといった作業を容易に行うことができる。
【産業上の利用可能性】
【００９２】
以上のように、本発明に係る有価媒体処理装置は、装置内で搬送される有価媒体が２枚以上に分離されているか否かを判定するために有用である。
【符号の説明】
【００９３】
１  有価媒体処理装置
１０  入金口
１２  繰出機構
１４、１４ａ〜１４ｄ  搬送部
１４ｐ  接続箇所
１６  画像取得部
１８  扉
２０  一時保留部
３０、３０ａ〜３０ｃ  小切手収納部
４０  第１損券収納部
４２  第２損券収納部
５０、５０ａ〜５０ｄ  新券収納部
５２ａ〜５２ｄ  繰出機構
６０  出金口
６１ａ  シャッタ
６１ｂ  抜取検知部
６２  羽根車
６４  簡易識別部
７０  媒体状態検出センサ
８０  制御部
８１  搬送制御部
８２  媒体状態判定部
８３  報知部
９０  記憶部
【図１】
2015095014.tif 000003
【図２】
2015095014.tif 000004
【図３】
2015095014.tif 000005
【図４】
2015095014.tif 000006
【図５】
2015095014.tif 000007
【図６】
2015095014.tif 000008
【図７】
2015095014.tif 000009
【図８】
2015095014.tif 000010